(57)【要約】【課題】結露水の凍結により開閉板が動作しないことを防ぐことを目的とする。【解決手段】給気風路部に搭載されるダンパー装置であって、開閉板４の軸受部６、開閉板の軸７を外部の空気から遮断するようにモーター５の外郭まで伸びた遮蔽部８ａを形成し、本体３の外郭１２で発生した結露が軸受部６に流れ込むことを防ぐとともに、遮蔽部８ａの内部で発生する結露を抑制することにより、結露水が開閉板４の軸受部６で凍結し開閉板４が動作しないことを防ぐダンパー装置が得られる。【選択図】図３
2008196771.tif 000002
【特許請求の範囲】
【請求項１】
室外からの給気風路を形成する本体に、この給気風路を開閉する開閉板と、前記開閉板の軸を保持する軸受部と、前記開閉板の軸と連結して前記開閉板を駆動させるモーターを備え、前記本体の外郭と前記軸受部を仕切る遮蔽部を設けたことを特徴とするダンパー装置。
【請求項２】
遮蔽部を、モーターの外郭まで伸ばし、モーターの外郭と遮蔽部により開閉板の軸、軸受部、モーターの回転軸を遮蔽したことを特徴とする請求項１記載のダンパー装置。
【請求項３】
遮蔽部にガイド部を形成し、外郭に発生した結露水を軸受部へ流れさせないことを特徴とする請求項１または２記載のダンパー装置。
【請求項４】
ガイド部を、モーター側に形成したことを特徴とする請求項３記載のダンパー装置。
【請求項５】
遮蔽された内部に、風路内と連通する開口を設けたことを特徴とする請求項２〜４のいずれかに記載のダンパー装置。
【請求項６】
遮蔽部とそれを覆う蓋により開閉板の軸、軸受部、モーターが遮蔽され、遮蔽された内部に風路内と連通する開口を設けたことを特徴とする請求項１記載のダンパー装置。
【請求項７】
遮蔽内部の空き空間に断熱材を充填させたことを特徴とする請求項６記載のダンパー装置。
【請求項８】
遮蔽内部の空き空間に発泡スチロールを充填させたことを特徴とする請求項７記載のダンパー装置。
【請求項９】
外郭に固定して遮蔽部を形成する軸カバーにより開閉板の軸、軸受部、モーターの回転軸を遮蔽したことを特徴とする請求項１記載のダンパー装置。
【請求項１０】
遮蔽部と軸受部を一体に形成した軸受を特徴とする請求項１記載のダンパー装置。
【請求項１１】
遮蔽部の一部と軸受部を一体に形成した軸受を特徴とする請求項１０記載のダンパー装置。
【請求項１２】
軸受を、モーターの外郭まで伸ばし、前記外郭と前記軸受により開閉板の軸、軸受部、前記モーターの回転軸を遮蔽したことを特徴とする請求項１０記載のダンパー装置。
【請求項１３】
遮蔽部とモーターの外郭との間に、パッキンを挟んだことを特徴とする請求項１のダンパー装置。
【請求項１４】
遮蔽部を、樹脂で形成したことを特徴とする請求項１記載のダンパー装置。
【発明の詳細な説明】
【技術分野】
【０００１】
本発明は、天井面に設置して室内の空調を行なう空気調和装置の風路に搭載するダンパー装置に関する。
【背景技術】
【０００２】
従来、この種のダンパー装置の一例として、風路内で回転する開閉板と、風路と開閉板の軸受部を形成した本体に開閉板を駆動させるモーターを備えた構造が知られている（例えば、特許文献１参照）。
【０００３】
以下、そのダンパー装置について図８を参照しながら説明する。
【０００４】
図８に示すように、風路を形成する本体１０３に風路の内部と外部が連通した開閉板１０１の軸１０５を支持する軸受部１０２が形成され、軸受部１０２で支持された開閉板１０１の軸１０５をモーター１０４の回転軸に連結させ、モーター１０４を駆動し開閉板１０１を回転させることにより風路を開閉するものである。
【特許文献１】特開２００５−２９９９７０号公報
【発明の開示】
【発明が解決しようとする課題】
【０００５】
このようなダンパー装置では、風路内を低温の空気が流れ、軸受部１０２の周辺部または本体１０３の外郭部１０６周辺で発生した結露水が軸受部１０２に流れ込み凍結すると開閉板１０１が動作しないという課題があり、軸受部１０２に外郭部１０６で発生した結露水が流れ込まない構造が要求されている。
【０００６】
また、軸受部１０２や開閉板１０１の軸１０５自身に発生した結露水が凍結し開閉板１０１が動作しないという課題があり、軸受部１０２での結露の発生を抑制することが要求されている。
【０００７】
本発明は、このような従来の課題を解決するものであり、軸受部や開閉板の軸での結露の発生を抑制することができ、また本体の外郭部で発生する結露水が軸受部に流れ込むことを防ぐことができるダンパー装置を提供することを目的としている。
【課題を解決するための手段】
【０００８】
本発明のダンパー装置は、上記目的を達成するために、室外からの給気風路を形成する本体に、この給気風路を開閉する開閉板と、前記開閉板の軸を保持する軸受部と、前記開閉板の軸と連結して前記開閉板を駆動させるモーターを備え、前記本体の外郭と前記軸受部を仕切る遮蔽部を設けたものである。
【０００９】
また、他の手段は、遮蔽部を、モーターの外郭まで伸ばし、モーターの外郭と遮蔽部により開閉板の軸、軸受部、モーターの回転軸を遮蔽したものである。
【００１０】
また、他の手段は、遮蔽部にガイド部を形成し、外郭に発生した結露水を軸受部へ流れさせないものである。
【００１１】
また、他の手段は、ガイド部を、モーター側に形成したものである。
【００１２】
また、他の手段は、遮蔽された内部に、風路内と連通する開口を設けたものである。
【００１３】
また、他の手段は、遮蔽部とそれを覆う蓋により開閉板の軸、軸受部、モーターが遮蔽され、遮蔽された内部に風路内と連通する開口を設けたものである。
【００１４】
また、他の手段は、遮蔽内部の空き空間に断熱材を充填させたものである。
【００１５】
また、他の手段は、遮蔽内部の空き空間に発泡スチロールを充填させたものである。
【００１６】
また、他の手段は、外郭に固定して遮蔽部を形成する軸カバーにより開閉板の軸、軸受部、モーターの回転軸を遮蔽したものである。
【００１７】
また、他の手段は、遮蔽部と軸受部を一体に形成した軸受としたものである。
【００１８】
また、他の手段は、遮蔽部の一部と軸受部を一体に形成した軸受としたものである。
【００１９】
また、他の手段は、軸受を、モーターの外郭まで伸ばし、前記外郭と前記軸受により開閉板の軸、軸受部、前記モーターの回転軸を遮蔽したものである。
【００２０】
また、他の手段は、遮蔽部とモーターの外郭との間に、パッキンを挟んだものである。
【００２１】
また、他の手段は、遮蔽部を、樹脂で形成したものである。
【発明の効果】
【００２２】
本発明によれば、軸受部に結露水が流れ込むことを防ぐことができ、流れ込んだ結露水の凍結による開閉板の開閉不良を防ぐという効果のあるダンパー装置を提供できる。
【００２３】
また、遮蔽部の内部を外部の空気から遮断することができ、開閉板の軸、軸受部、その近傍における結露の発生を抑制し結露水の凍結による開閉板の開閉不良を防ぐという効果のあるダンパー装置を提供できる。
【００２４】
また、結露水が遮蔽部のガイド部に沿って流れ、軸受部に流れ込まないことにより、結露水の凍結による開閉板の開閉不良を防ぐという効果のあるダンパー装置を提供できる。
【００２５】
また、開閉板の軸、軸受部が遮蔽された内部の温湿度条件を風路内の条件に近づけることができ、開閉板の軸、軸受部、その近傍における結露の発生を抑制し結露水の凍結による開閉板の開閉不良を防ぐという効果のあるダンパー装置を提供できる。
【００２６】
また、遮蔽部内の空気を削減するとともに流入を抑制することができ、遮蔽部内の軸受部、開閉板の開閉板の軸と本体の外郭部での結露の発生を抑制する効果のあるダンパー装置を提供できる。
【００２７】
また、本体と異なる材質や独立した加工により結露水の侵入を防ぎ易く、機密性の高まる軸受部、遮蔽部を形成することができ、結露水の浸入と発生を抑制する効果のあるダンパー装置を提供できる。
【００２８】
また、遮蔽部の気密を高めることができ、遮蔽部内で結露の発生を抑制する効果のあるダンパー装置を提供できる。
【発明を実施するための最良の形態】
【００２９】
本発明の請求項１記載のダンパー装置は、室外からの給気風路を形成する本体に、この給気風路を開閉する開閉板と、前記開閉板の軸を保持する軸受部と、前記開閉板の軸と連結して前記開閉板を駆動させるモーターを備え、前記本体の外郭と前記軸受部を仕切る遮蔽部を設けたことにより、風路の外郭部で発生した結露水は遮蔽部の外側に沿って遮蔽部外に流れ軸受部に流れ込むのを防ぐという作用を有する。
【００３０】
また、遮蔽部を、モーターの外郭まで伸ばし、モーターの外郭と遮蔽部により開閉板の軸、軸受部、モーターの回転軸を遮蔽したことにより、遮蔽部の内部を遮蔽部により外部の空気から遮断するという作用を有する。
【００３１】
また、遮蔽部にガイド部を形成し、外郭に発生した結露水を軸受部へ流れさせないことにより、外郭に発生した結露水が前記遮蔽部の軸方向に流れるのを防ぐようにしたもので、結露水がガイドに沿って流れ、軸受部周辺に流れこむのをせき止められるという作用を有する。
【００３２】
また、ガイド部を、モーター側に形成したことにより、前記ガイド部と前記モータ−との間の空間を多くとれ、そこに十分外郭に発生した結露水を溜められ、結露水が前記遮蔽部の軸方向に流れるのを十分防ぐようにしたもので、結露水がガイドによってせき止められるという作用を有する。
【００３３】
また、遮蔽された内部に、風路内と連通する開口を設けたことにより、遮断された内部と風路内の空気が通風され遮蔽された内部の温湿度条件を風路内の条件に近づけるという作用を有する。
【００３４】
また、遮蔽部とそれを覆う蓋により開閉板の軸、軸受部、モーターが遮蔽され、遮蔽された内部に風路内と連通する開口を設けたことにより、遮断された内部と風路内の空気が通風され遮蔽された内部の温湿度条件を風路内の条件に近づけるという作用を有する。
【００３５】
また、遮蔽内部の空き空間に断熱材を充填させたことにより、遮蔽部内の空気を少なくする作用を有する。
【００３６】
また、遮蔽内部の空き空間に発泡スチロールを充填させたことにより、加工性がよい安価な材料で遮蔽部内の空気を少なくする作用を有する。
【００３７】
また、外郭に固定して遮蔽部を形成する軸カバーにより開閉板の軸、軸受部、モーターの回転軸を遮蔽したことにより、本体と異なる材料や独立した加工により遮蔽部を形成する作用を有する。
【００３８】
また、遮蔽部と軸受部を一体に形成した軸受とすることにより、本体と異なる材料や独立した加工により遮蔽部を形成するという作用を有する。
【００３９】
また、遮蔽部の一部と軸受部を一体に形成した軸受とすることにより、本体と異なる材料や独立した加工により細かな単位で遮蔽部を形成するという作用を有する。
【００４０】
また、軸受を、モーターの外郭まで伸ばし、前記外郭と前記軸受により開閉板の軸、軸受部、前記モーターの回転軸を遮蔽したことにより、本体と異なる材料や独立した加工により遮蔽部を形成する作用を有する。
【００４１】
また、遮蔽部とモーターの外郭との間に、パッキンを挟んだことにより、遮蔽部とモーターの機密性を高める作用を有する。
【００４２】
また、遮蔽部を、樹脂で形成したことにより、加工性および断熱性の良い遮蔽部を形成できるという作用を有する。
【００４３】
以下、本発明の実施の形態について、図面を参照しながら説明する。
【００４４】
（実施の形態１）
図１および図２に示すように、ダクト１を介し室外空気を取り入れる空調調和装置２の給気風路部に、給気風路を形成する本体３、回転により給気風路を開閉する開閉板４と開閉板４を駆動するモーター５を備えたダンパー装置を設ける。
【００４５】
図２および３に示す前記ダンパー装置において本体３に、風路内部と外部を連通した開閉板４を支持する軸受部６を設け、軸受部６と開閉板の軸７を囲うように遮蔽部８ａを形成し、開閉板の軸７とモーター５の回転軸を連結させて開閉板４を駆動するモーター５を備え、モーター５の外郭が遮蔽部８ａを塞ぐことにより軸受部６と開閉板の軸７、モーター５の回転軸８が外部の空気と遮断され、その気密性を高めるシール材としてパッキン９を遮蔽部８ａとモーター５の外郭１２の間に挟んで構成される。
【００４６】
また、軸受部６、開閉板の軸７、モーター５を囲うように遮蔽部１３ｂを形成し、遮蔽部１３ｂの内部を外部の空気と遮断する蓋１０を備え、遮蔽の内部の隙間に断熱材１１として発泡スチロールを充填して構成する。
【００４７】
上記構成において、給気風路内を低温の空気が流れることにより、外郭周辺の空気が本体３の外郭１２で冷やされ結露が発生し、外郭１２に沿って流れた結露水が遮蔽部８ａによって軸受部６へ流れ込まないことにより結露水の凍結による開閉不良を防ぎ、遮蔽部８ａの内部は外部の空気が遮断され、接触する空気の量が限定されることにより、軸受部６、開閉板の軸７とその近傍で結露の発生が抑制され、軸受部６と開閉板の軸７の間における結露水の凍結による開閉不良を防ぐこととなる。
【００４８】
また、遮蔽部１３ｂの内部に断熱材を充填し結露を発生させる内部の空気の量を減らすとともに外部からの空気の流入を抑制し、時間経過とともに増加する結露を抑制することにより、遮蔽部１３ｂの内部に発生する結露を抑制し、発生した結露水が軸受部６とモーター５へ流れることを防ぐこととなる。
【００４９】
（実施の形態２）
図４および図５は、遮蔽部８ａ、遮蔽部１３ｂのそれぞれの内部に、風路内と連通する開口Ａ１４ａ、開口Ｂ１４ｂを設け、遮蔽部８ａの全周に外郭１２と遮蔽部８ａの先端を仕切るガイド部８ｂを形成する構成とする。
【００５０】
上記構成において、遮蔽部内部が風路内部の温度湿度条件を近づけることにより遮蔽部内で発生する結露が抑制されることとなる。
【００５１】
また、発生した結露水が、ガイド部８ｂよってせき止められることにより、結露水が遮蔽部８ａの先端から軸受部へ流れ込むことが防げ、軸受部と開閉板の軸の間における結露水の凍結による開閉不良を防ぐこととなる。
【００５２】
（実施の形態３）
図６および図７は、遮蔽部を本体３と別に形成した構成を示し、図６においては、軸受部６と遮蔽部８ａを一体に形成した軸受１５により構成され、図７においては遮蔽部１６ｃにより構成される。
【００５３】
また、モーター５の外郭が、軸受１５内を外部の空気と遮蔽して構成される。
【００５４】
上記構成において、遮蔽部の材質が任意に選定でき、本体と一体で形成する際の形状の制限が低減される。
【産業上の利用可能性】
【００５５】
ある温湿度条件の空気を、温湿度の異なる空間に設置して別の場所へ送る送風機、換気扇の組み込み機器として、あるいは風路内で使用される部材としても適用することができる。
【図面の簡単な説明】
【００５６】
【図１】本発明の実施の形態１のダンパー装置を組み込んだ空気調和装置を示す構成図
【図２】同ダンパー装置を示す斜視図
【図３】同ダンパー装置を示す断面図
【図４】本発明の実施の形態２のダンパー装置を示す構成図
【図５】同ダンパー装置を示す断面図
【図６】本発明の実施の形態３のダンパー装置を示す構成図
【図７】同ダンパー装置を示す構成図
【図８】従来のダンパー装置の構成を示す上面断面図
【図９】同ダンパー装置の構成を示す側面断面図
【符号の説明】
【００５７】
１      ダクト
２      空調調和装置
３      本体
４      開閉板
５      モーター
６      軸受部
７      開閉板の軸
８ａ    遮蔽部
８ｂ    ガイド部
９      パッキン
１０    蓋
１１    断熱材
１２    外郭
１３ｂ  遮蔽部
１４ａ  開口Ａ
１４ｂ  開口Ｂ
１５    軸受
１６    遮蔽部
【図１】
2008196771.tif 000003
【図２】
2008196771.tif 000004
【図３】
2008196771.tif 000005
【図４】
2008196771.tif 000006
【図５】
2008196771.tif 000007
【図６】
2008196771.tif 000008
【図７】
2008196771.tif 000009
【図８】
2008196771.tif 000010
【図９】
2008196771.tif 000011